【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
消費者の会員コードに関連付けて商品の商品販売データに関連する電子レシート情報を記憶部に記憶する電子レシート管理手段と、
前記電子レシート情報に関連付けて商品の保証書情報を記憶部に記憶する保証書情報管理手段と、
消費者の会員コードに関連付けられた情報処理装置に対し、当該会員コードに関連付けられた商品の商品情報を含む前記電子レシート情報を前記情報処理装置に表示するように出力する電子レシート表示手段と、
前記電子レシート情報に関連付けられた前記保証書情報が存在する場合には、前記保証書情報管理手段から前記保証書情報を読み出して前記電子レシート情報に関連付ける関連付け手段と、
前記関連付け手段によって前記保証書情報が関連付けされた電子レシート情報について、保証書情報を照会するための情報を商品を購入した店名および日付とともに表示する情報表示手段と、
前記情報表示手段によって表示された前記保証書情報を照会するための情報に対応した保証書情報を照会するための照会操作に基づいて、関連付けられた前記保証書情報を前記情報処理装置に表示する保証書情報表示手段と、
を備えることを特徴とする電子レシートシステム。
【請求項２】
前記情報表示手段は、前記保証書情報を照会するための情報に基づいた表示を操作可能に表示し、
前記保証書情報表示手段は、前記表示の操作に基づいて関連付けられた前記保証書情報を前記情報処理装置に表示する、
請求項１に記載の電子レシートシステム。
【請求項３】
消費者の会員コードに関連付けて商品の商品販売データに関連する電子レシート情報を記憶部に記憶する電子レシート管理手段と、
前記電子レシート情報に関連付けて商品の保証書情報を記憶部に記憶する保証書情報管理手段と、
消費者の会員コードに関連付けられた情報処理装置に対し、当該会員コードに関連付けられた商品の商品情報を含む前記電子レシート情報を送信する電子レシート送信手段と、
前記電子レシート情報に前記保証書情報が関連付けられている場合には、保証書情報を照会するための情報を商品を購入した店名および日付とともに表示させる情報を前記情報処理装置に送信する保証書存在情報送信手段と、
前記情報処理装置から前記保証書情報を照会するための情報を介して保証書情報を照会するための照会情報の受信があると、前記電子レシート情報に関連付けられた前記保証書情報を前記情報処理装置に送信する保証書情報送信手段と、
を備えることを特徴とする電子レシート管理サーバ。
【請求項４】
前記保証書情報管理手段に記憶された保証書情報に基づいて当該商品の保証期間内であるか否かを判断する保証期間判断手段をさらに備え、
前記保証書情報送信手段は、受信した前記照会情報に対応した保証書情報に基づいて保証期間内であると前記保証期間判断手段が判断した場合に、前記保証書情報を前記情報処理装置に送信し、受信した前記照会情報に対応した保証書情報に基づいて保証期間内ではないと前記保証期間判断手段が判断した場合に、当該商品の保証期間ではないことを示す情報を前記情報処理装置に送信する、
請求項３に記載の電子レシート管理サーバ。
【請求項５】
消費者の会員コードに関連付けられていて少なくとも１以上の企業コードおよび商品販売された商品の商品情報を含む電子レシート情報を、当該電子レシート情報を管理する電子レシート管理サーバから受信する電子レシート受信手段と、
前記電子レシート受信手段により受信した前記電子レシート情報を、前記企業コードに関連付けて表示部に表示する電子レシート表示手段と、
保証書情報を照会するための情報を前記電子レシート情報に含めて表示させる情報を前記電子レシート管理サーバから受信する保証書存在情報受信手段と、
前記保証書存在情報受信手段が受信した前記保証書情報を照会するための情報を商品を購入した店名および日付とともに表示する情報表示手段と、
表示された前記保証書情報を照会するための情報に対応した保証書情報を照会するための照会操作に基づいて前記電子レシート管理サーバから受信した保証書情報を表示する保証書情報表示手段と、
を備えることを特徴とする情報処理装置。
【請求項６】
電子レシート管理サーバとしてのコンピュータを、
消費者の会員コードに関連付けて商品の商品販売データに関連する電子レシート情報を記憶部に記憶する電子レシート管理手段と、
前記電子レシート情報に関連付けて商品の保証書情報を記憶部に記憶する保証書情報管理手段と、
消費者の会員コードに関連付けられた情報処理装置に対し、当該会員コードに関連付けられた商品の商品情報を含む前記電子レシート情報を送信する電子レシート送信手段と、
前記電子レシート情報に前記保証書情報が関連付けられている場合には、保証書情報を照会するための情報を商品を購入した店名および日付とともに表示させる情報を前記情報処理装置に送信する保証書存在情報送信手段と、
前記情報処理装置から前記保証書情報を照会するための情報を介して保証書情報を照会するための照会情報の受信があると、前記電子レシート情報に関連付けられた前記保証書情報を前記情報処理装置に送信する保証書情報送信手段と、
して機能させるためのプログラム。
【請求項７】
情報処理装置としてのコンピュータを、
消費者の会員コードに関連付けられていて少なくとも１以上の企業コードおよび商品販売された商品の商品情報を含む電子レシート情報を、当該電子レシート情報を管理する電子レシート管理サーバから受信する電子レシート受信手段と、
前記電子レシート受信手段により受信した前記電子レシート情報を、前記企業コードに関連付けて表示部に表示する電子レシート表示手段と、
保証書情報を照会するための情報を前記電子レシート情報に含めて表示させる情報を前記電子レシート管理サーバから受信する保証書存在情報受信手段と、
前記保証書存在情報受信手段が受信した前記保証書情報を照会するための情報を商品を購入した店名および日付とともに表示する情報表示手段と、
表示された前記保証書情報を照会するための情報に対応した保証書情報を照会するための照会操作に基づいて前記電子レシート管理サーバから受信した保証書情報を表示する保証書情報表示手段と、
して機能させるためのプログラム。
【手続補正２】
【補正対象書類名】明細書
【補正対象項目名】発明の名称
【補正方法】変更
【補正の内容】
【発明の名称】電子レシートシステム、電子レシート管理サーバ、情報処理装置およびプログラム
【手続補正３】
【補正対象書類名】明細書
【補正対象項目名】０００１
【補正方法】変更
【補正の内容】
【０００１】
本発明の実施形態は、電子レシートシステム、電子レシート管理サーバ、情報処理装置およびプログラムに関する。
【手続補正４】
【補正対象書類名】明細書
【補正対象項目名】０００６
【補正方法】変更
【補正の内容】
【０００６】
本発明が解決しようとする課題は、保証書について、電子的な処理を行う電子レシートシステム、電子レシート管理サーバ、情報処理装置およびプログラムを提供することである。
【手続補正５】
【補正対象書類名】明細書
【補正対象項目名】０００７
【補正方法】変更
【補正の内容】
【０００７】
実施形態の電子レシートシステムは、消費者の会員コードに関連付けて商品の商品販売データに関連する電子レシート情報を記憶部に記憶する電子レシート管理手段と、前記電子レシート情報に関連付けて商品の保証書情報を記憶部に記憶する保証書情報管理手段と、消費者の会員コードに関連付けられた情報処理装置に対し、当該会員コードに関連付けられた商品の商品情報を含む前記電子レシート情報を前記情報処理装置に表示するように出力する電子レシート表示手段と、前記電子レシート情報に関連付けられた前記保証書情報が存在する場合には、前記保証書情報管理手段から前記保証書情報を読み出して前記電子レシート情報に関連付ける関連付け手段と、前記関連付け手段によって前記保証書情報が関連付けされた電子レシート情報について、保証書情報を照会するための情報を商品を購入した店名および日付とともに表示する情報表示手段と、前記情報表示手段によって表示された前記保証書情報を照会するための情報に対応した保証書情報を照会するための照会操作に基づいて、関連付けられた前記保証書情報を前記情報処理装置に表示する保証書情報表示手段と、を備える。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
実施形態の電子レシート管理サーバは、消費者の会員コードに関連付けて商品の商品販売データに関連する電子レシート情報を記憶部に記憶する電子レシート管理手段と、前記電子レシート情報に関連付けて商品の保証書情報を記憶部に記憶する保証書情報管理手段と、消費者の会員コードに関連付けられた情報処理装置に対し、当該会員コードに関連付けられた商品の商品情報を含む前記電子レシート情報を送信する電子レシート送信手段と、前記電子レシート情報に前記保証書情報が関連付けられている場合には、保証書情報を照会するための情報を商品を購入した店名および日付とともに表示させる情報を前記情報処理装置に送信する保証書存在情報送信手段と、前記情報処理装置から前記保証書情報を照会するための情報を介して保証書情報を照会するための照会情報の受信があると、前記電子レシート情報に関連付けられた前記保証書情報を前記情報処理装置に送信する保証書情報送信手段と、を備える。
【手続補正８】
【補正対象書類名】明細書
【補正対象項目名】００１０
【補正方法】変更
【補正の内容】
【００１０】
実施形態の情報処理装置は、消費者の会員コードに関連付けられていて少なくとも１以上の企業コードおよび商品販売された商品の商品情報を含む電子レシート情報を、当該電子レシート情報を管理する電子レシート管理サーバから受信する電子レシート受信手段と、前記電子レシート受信手段により受信した前記電子レシート情報を、前記企業コードに関連付けて表示部に表示する電子レシート表示手段と、保証書情報を照会するための情報を前記電子レシート情報に含めて表示させる情報を前記電子レシート管理サーバから受信する保証書存在情報受信手段と、前記保証書存在情報受信手段が受信した前記保証書情報を照会するための情報を商品を購入した店名および日付とともに表示する情報表示手段と、表示された前記保証書情報を照会するための情報に対応した保証書情報を照会するための照会操作に基づいて前記電子レシート管理サーバから受信した保証書情報を表示する保証書情報表示手段と、を備える。
【手続補正９】
【補正対象書類名】明細書
【補正対象項目名】００１１
【補正方法】変更
【補正の内容】
【００１１】
実施形態のプログラムは、電子レシート管理サーバとしてのコンピュータを、消費者の会員コードに関連付けて商品の商品販売データに関連する電子レシート情報を記憶部に記憶する電子レシート管理手段と、前記電子レシート情報に関連付けて商品の保証書情報を記憶部に記憶する保証書情報管理手段と、消費者の会員コードに関連付けられた情報処理装置に対し、当該会員コードに関連付けられた商品の商品情報を含む前記電子レシート情報を送信する電子レシート送信手段と、前記電子レシート情報に前記保証書情報が関連付けられている場合には、保証書情報を照会するための情報を商品を購入した店名および日付とともに表示させる情報を前記情報処理装置に送信する保証書存在情報送信手段と、前記情報処理装置から前記保証書情報を照会するための情報を介して保証書情報を照会するための照会情報の受信があると、前記電子レシート情報に関連付けられた前記保証書情報を前記情報処理装置に送信する保証書情報送信手段と、して機能させる。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
実施形態のプログラムは、情報処理装置としてのコンピュータを、消費者の会員コードに関連付けられていて少なくとも１以上の企業コードおよび商品販売された商品の商品情報を含む電子レシート情報を、当該電子レシート情報を管理する電子レシート管理サーバから受信する電子レシート受信手段と、前記電子レシート受信手段により受信した前記電子レシート情報を、前記企業コードに関連付けて表示部に表示する電子レシート表示手段と、保証書情報を照会するための情報を前記電子レシート情報に含めて表示させる情報を前記電子レシート管理サーバから受信する保証書存在情報受信手段と、前記保証書存在情報受信手段が受信した前記保証書情報を照会するための情報を商品を購入した店名および日付とともに表示する情報表示手段と、表示された前記保証書情報を照会するための情報に対応した保証書情報を照会するための照会操作に基づいて前記電子レシート管理サーバから受信した保証書情報を表示する保証書情報表示手段と、して機能させる。